(57)【要約】【課題】  身体部位の広範囲の幅における太さ（周囲径、半径または直径）を簡単に測定することができ、また、その測定された身体部位につき、被測定者にとって有益となるような判定・評価を行うことのできるインピーダンス式太さ測定装置を提供すること。【解決手段】  インピーダンス式太さ測定装置は、測定すべき身体部位のインピーダンスを測定するためのインピーダンス測定手段と、インピーダンス測定手段によって測定されたインピーダンスに基づいて身体部位の太さを求めるための演算手段とを備える。また、インピーダンス式太さ測定装置は、更に、測定された身体部位の太さに基づいて体型の判定または評価を行う判定評価手段を備え得る。【選択図】          図１
2005081068.tif 000002
【特許請求の範囲】
【請求項１】
測定すべき身体部位のインピーダンスを測定するためのインピーダンス測定手段と、該インピーダンス測定手段によって測定されたインピーダンスに基づいて実測の身体部位の太さを求めるための演算手段とを備えることを特徴とするインピーダンス式太さ測定装置。
【請求項２】
前記演算手段によって求められた測定による実測の身体部位の太さを表示するための表示手段を更に備える請求項１に記載のインピーダンス式太さ測定装置。
【請求項３】
前記表示手段は、測定箇所単位に身体部位を区分して構成する身体モデルを表示する請求項２に記載のインピーダンス式太さ測定装置。
【請求項４】
前記表示手段は、前記インピーダンス測定手段によってインピーダンスを測定する際に、測定すべき身体部位の箇所を前記身体モデルの該当する身体部位に明示する請求項３に記載のインピーダンス式太さ測定装置。
【請求項５】
目標体型の身体部位の太さと実測の身体部位の太さとの関係を示す体型判定評価情報を記憶する記憶手段と、前記記憶手段に記憶する体型判定評価情報を参照し、前記演算手段によって求められた実測の身体部位の太さに対する体型の判定評価を行う判定評価手段とを更に備える請求項１から４のうちいずれか１項に記載のインピーダンス式太さ測定装置。
【請求項６】
前記インピーダンス測定手段は、個人情報を入力するための個人情報入力手段を含み、前記記憶手段は、個人情報と目標体型の身体部位の太さとの関係を示す目標体型選択テーブルと、目標体型の身体部位の太さに対する実測の身体部位の太さの大小率の関係を示す大小率演算式と、実測の身体部位の太さの大小率とこの大小率の大きさに対する身体部位の適否とこの身体部位の適否に対するアドバイスとの関係を示す体型判定評価テーブルとを体型判定評価情報として記憶し、前記判定評価手段は、前記記憶手段に記憶する目標体型選択テーブルを参照して、前記個人情報入力手段によって入力された個人情報に対応する目標体型の身体部位の太さを選択し、前記記憶手段に記憶する大小率演算式に、先に選択した目標体型の身体部位の太さと前記演算手段によって求められた実測の身体部位の太さとを代入して大小率を求め、前記記憶手段に記憶する体型判定評価テーブルを参照して、先に求めた大小率の大きさから前記インピーダンス測定手段によって測定された身体部位の適否を判定し、前記身体部位の適否に対応するアドバイス情報を選択することにより体型の判定評価を行う請求項５に記載のインピーダンス式太さ測定装置。
【請求項７】
前記表示手段は、前記判定評価手段によって行われた体型の判定評価を更に表示する請求項５または６に記載のインピーダンス式太さ測定装置。
【請求項８】
前記表示手段は、前記判定評価手段によって目標範囲外とされた実測の身体部位の太さを示す測定箇所を前記身体モデルの該当する身体部位に明示する請求項５から７のうちいずれか１項に記載のインピーダンス式太さ測定装置。
【請求項９】
前記身体モデルは、各目標体型をイメージさせる形態である請求項５から８のうちいずれか１項に記載のインピーダンス式太さ測定装置。
【請求項１０】
前記インピーダンス測定手段は、測定すべき身体部位に対して装着される通電用電極と測定用電極とを含む請求項１から９のうちいずれか１項に記載のインピーダンス式太さ測定装置。
【請求項１１】
前記通電用電極および測定用電極は、測定すべき身体部位に対して巻き付けられるベルトに配設されている請求項１０に記載のインピーダンス式太さ測定装置。
【請求項１２】
前記ベルトは、前記通電用電極および測定用電極を配設した主ベルトと、該主ベルトに対して必要時に連結して使用しうる延長ベルトとからなる請求項１１に記載のインピーダンス式太さ測定装置。
【請求項１３】
前記電極のうちの、一方の通電用電極および測定用電極と、他方の通電用電極および測定用電極とが、それぞれ前記ベルトのベルト幅の端辺寄りにベルト幅方向に列して配置されている請求項１１または１２に記載のインピーダンス式太さ測定装置。
【請求項１４】
前記通電用電極および測定用電極は、測定すべき身体部位に対して当接させられる当接板に配設されている請求項１０に記載のインピーダンス式太さ測定装置。
【請求項１５】
前記電極のうちの、一方の通電用電極および測定用電極と、他方の通電用電極および測定用電極とが、それぞれ前記当接板の板幅の端辺寄りに板幅方向に列して配置されている請求項１４に記載のインピーダンス式太さ測定装置。
【請求項１６】
前記測定用電極は、前記通電用電極の間に配置されている請求項１０から１５のうちいずれか１項に記載のインピーダンス式太さ測定装置。
【請求項１７】
前記身体部位の太さは、周囲径または半径または直径である請求項１から１６のうちいずれか１項に記載のインピーダンス式太さ測定装置。
【発明の詳細な説明】
【技術分野】
【０００１】
本発明は、身体部位の太さ（周囲径、半径または直径）をインピーダンス測定により求める測定装置に関するものである。
【背景技術】
【０００２】
従来、身体部位の周囲径を測定するには、身体部位に巻尺を巻き付けることにより行われることが多い。例えば、胴体の周囲径を測定する巻尺として、特開２０００−３５０７２７号公報の図１に示されたような周径囲測定部や、特開２００２−１９１５６３号公報の図５に示されるようなエンコーダ式メジャーや、ＷＯ０１／０７６４８５号公報の図１に示されるようなウエスト計測手段等がある。これらの巻尺は、身体部位の局部の周囲径を測定するものであり、例えば、胴体の１〜２ｃｍ程度の幅について周囲径を測定するものである。
【０００３】
また、従来から、生体インピーダンスの測定技術を用いて身体部位を測定する装置があり、例えば、特開２００１−１７８６９６号公報に開示されたような生体測定装置がある。この生体測定装置は、身体の各部位（右手、左手、右足、左足、体幹部）の体脂肪率（内部組成）を測定するものである。
【０００４】
【特許文献１】特開２０００−３５０７２７号公報
【特許文献２】特開２００２−１９１５６３号公報
【特許文献３】ＷＯ０１／０７６４８５号公報
【特許文献４】特開２００１−１７８６９６号公報
【発明の開示】
【発明が解決しようとする課題】
【０００５】
前述したような従来の巻尺による方法では、身体の部位の広範囲の幅についての周囲径を測定するには、所定部位の局部を何箇所か測定して平均しなければならなかった。例えば、みぞおち付近から腰付近までの範囲の幅の胴体を測定するには、みぞおち付近、ヘソ付近および腰付近を測定して平均しなければならなかった。
【０００６】
また、前述したような生体インピーダンスの測定技術を用いた生体測定装置は、身体部位の内部組成について単に測定しその測定結果を単に表示するだけのものであり、身体部位の外部形態について求めたり、測定した身体部位についての判定・評価を行ったりするものではなかった。
【０００７】
そこで、本発明の第一の目的は、身体部位の広範囲の幅における太さ（周囲径、半径または直径）を簡単に測定することができるインピーダンス式太さ測定装置を提供することである。
【０００８】
また、本発明の第二の目的は、身体部位の広範囲の幅における太さ（周囲径、半径または直径）について被測定者にとって有益となるような判定・評価を行うインピーダンス式太さ測定装置を提供することである。
【課題を解決するための手段】
【０００９】
本発明によれば、測定すべき身体部位のインピーダンスを測定するためのインピーダンス測定手段と、該インピーダンス測定手段によって測定されたインピーダンスに基づいて実測の身体部位の太さを求めるための演算手段とを備えることを特徴とするインピーダンス式太さ測定装置が提供される。
【００１０】
本発明の一つの実施の形態によれば、前記インピーダンス式太さ測定装置は、前記演算手段によって求められた測定による実測の身体部位の太さを表示するための表示手段を更に備える。
【００１１】
本発明の別の実施の形態によれば、前記表示手段は、測定箇所単位に身体部位を区分して構成する身体モデルを表示する。
【００１２】
本発明のさらに別の実施の形態によれば、前記表示手段は、前記インピーダンス測定手段によってインピーダンスを測定する際に、測定すべき身体部位の箇所を前記身体モデルの該当する身体部位に明示する。
【００１３】
本発明のさらに別の実施の形態によれば、前記インピーダンス式太さ測定装置は、目標体型の身体部位の太さと実測の身体部位の太さとの関係を示す体型判定評価情報を記憶する記憶手段と、前記記憶手段に記憶する体型判定評価情報を参照し、前記演算手段によって求められた実測の身体部位の太さに対する体型の判定評価を行う判定評価手段とを更に備える。
【００１４】
本発明のさらに別の実施の形態によれば、前記インピーダンス測定手段は、個人情報を入力するための個人情報入力手段を含み、前記記憶手段は、個人情報と目標体型の身体部位の太さとの関係を示す目標体型選択テーブルと、目標体型の身体部位の太さに対する実測の身体部位の太さの大小率の関係を示す大小率演算式と、実測の身体部位の太さの大小率とこの大小率の大きさに対する身体部位の適否とこの身体部位の適否に対するアドバイスとの関係を示す体型判定評価テーブルとを体型判定評価情報として記憶し、前記判定評価手段は、前記記憶手段に記憶する目標体型選択テーブルを参照して、前記個人情報入力手段によって入力された個人情報に対応する目標体型の身体部位の太さを選択し、前記記憶手段に記憶する大小率演算式に、先に選択した目標体型の身体部位の太さと前記演算手段によって求められた実測の身体部位の太さとを代入して大小率を求め、前記記憶手段に記憶する体型判定評価テーブルを参照して、先に求めた大小率の大きさから前記インピーダンス測定手段によって測定された身体部位の適否を判定し、前記身体部位の適否に対応するアドバイス情報を選択することにより体型の判定評価を行う。
【００１５】
本発明のさらに別の実施の形態によれば、前記表示手段は、前記判定評価手段によって行われた体型の判定評価を更に表示する。
【００１６】
本発明のさらに別の実施の形態によれば、前記表示手段は、前記判定評価手段によって目標範囲外とされた実測の身体部位の太さを示す測定箇所を前記身体モデルの該当する身体部位に明示する。
【００１７】
本発明のさらに別の実施の形態によれば、前記身体モデルは、各目標体型をイメージさせる形態である。
【００１８】
本発明のさらに別の実施の形態によれば、前記インピーダンス測定手段は、測定すべき身体部位に対して装着される通電用電極と測定用電極とを含む。
【００１９】
本発明のさらに別の実施の形態によれば、前記通電用電極および測定用電極は、測定すべき身体部位に対して巻き付けられるベルトに配設されている。
【００２０】
本発明のさらに別の実施の形態によれば、前記ベルトは、前記通電用電極および測定用電極を配設した主ベルトと、該主ベルトに対して必要時に連結して使用しうる延長ベルトとからなる。
【００２１】
本発明のさらに別の実施の形態によれば、前記電極のうちの、一方の通電用電極および測定用電極と、他方の通電用電極および測定用電極とが、それぞれ前記ベルトのベルト幅の端辺寄りにベルト幅方向に列して配置されている。
【００２２】
本発明のさらに別の実施の形態によれば、前記通電用電極および測定用電極は、測定すべき身体部位に対して当接させられる当接板に配設されている。
【００２３】
本発明のさらに別の実施の形態によれば、前記電極のうちの、一方の通電用電極および測定用電極と、他方の通電用電極および測定用電極とが、それぞれ前記当接板の板幅の端辺寄りに板幅方向に列して配置されている。
【００２４】
本発明のさらに別の実施の形態によれば、前記測定用電極は、前記通電用電極の間に配置されている。
【００２５】
本発明のさらに別の実施の形態によれば、前記身体部位の太さは、周囲径または半径または直径である。
【発明の効果】
【００２６】
身体部位の広範囲の幅における太さ（周囲径、半径または直径）を簡単に測定することができる。
【００２７】
身体部位の測定された太さについて判定、評価も行えるので、被測定者にとって健康管理や目標体型の維持等のために有益な情報を得ることができる。
【発明を実施するための最良の形態】
【００２８】
次に、添付図面に基づいて、本発明の実施の形態および実施例について、本発明をより詳細に説明する。
【００２９】
添付図面の図１は、本発明の一実施例としてのインピーダンス式太さ測定装置の全体構成を示す外観図であり、図２は、図１の装置の内部構成を説明するためのブロック図である。図１によく示されるように、この実施例のインピーダンス式太さ測定装置は、本体部１００と、この本体部１００にコード１を介して接続される検出部２００とを備える。
【００３０】
本体部１００は、内部に後述するような各種の構成部品を配設したケース１０１を備えており、このケース１の外面には、表示部１０２と、オン・オフキー１０３、アップキー１０４、ダウンキー１０５、設定キー１０６等の各種スイッチと、外部入出力インターフェースの一部を構成するコネクタ１０７とが設けられている。
【００３１】
また、ケース１０１の内部には、図２のブロック図に示されるように、マイクロコンピュータ１１０と、補助記憶装置１１１と、フィルタ回路１１２と、交流電流出力回路１１３と、基準抵抗１１４と、差動増幅器１１５および１１６と、切替器１１７と、Ａ／Ｄ変換器１１８と、外部入出力インターフェースの一部を構成するインターフェース回路１１９とが基板ユニットに実装されて配設されている。
【００３２】
一方、検出部２００は、図１の外観図に示されるように、主ベルト２０１と、この主ベルト２０１の一端部に必要時に接続して使用できるようになった延長ベルト２０２と、主ベルト２０１に配設された通電用電極２０３および２０４並びに測定用電極２０５および２０６とを備えている。この検出部２００は、身体部位におけるインピーダンスを検出するためのものである。
【００３３】
主ベルト２０１には、身体部位に巻き付けた際に、身体部位側（内側）表面にくるようにして、周囲径の幅（ベルト幅）方向に列するように通電用電極２０３および２０４並びに測定用電極２０５および２０６が取り付けられている。なお、これらの通電用電極２０３および２０４と、測定用電極２０５および２０６とは、図１に示されるように、測定用電極２０５および２０６が通電用電極２０３および２０４の間にくる配置とされている。そして、一方の通電用電極２０３および測定用電極２０５と、他方の通電用電極２０４および測定用電極２０６とは、それぞれベルト幅の端辺寄りに配置され、間隔を置いて並べられている。通電用電極２０３および２０４は、身体部位に測定電流を印加するためのものであり、測定用電極２０５および２０６は、通電用電極２０３および２０４が印加された際に身体部位に生じる電圧を検出するためのものである。
【００３４】
また、主ベルト２０１および延長ベルト２０２は、公知の血圧計のカフの如く身体部位に巻き重ねた際に内側表面と外側表面とが係合するものである。主ベルト２０１および延長ベルト２０２は、身体の所定の各部位に巻き付けた際になるべく広範囲の幅に亘るようなベルト幅とされている。
【００３５】
さらにまた、コード１は、図１に示されるように、一端を通電用電極２０３および２０４と測定用電極２０５および２０６とに接続し、他端をケース１０１内の基板ユニット上に実装された差動増幅器１１５および１１６、交流電流出力回路１１３および基準抵抗１１４からのラインに接続している。
【００３６】
次に、前述した各構成部分の詳細について説明していく。先ず、表示部１０２は、個人情報や目標体型等の入力状況、測定する身体部位箇所、周囲径やアドバイス等の測定結果等を表示するためのものである。
【００３７】
オン・オフキー１０３は、本測定装置を作動させるために入切等を行うためのものである。
【００３８】
アップキー１０４およびダウンキー１０５は、入力時における数値の上昇下降やカーソルの移動等を行うためのものである。
【００３９】
設定キー１０６は、アップキー１０４およびダウンキー１０５で選定した数値やカーソル位置の確定等を行うためのものである。
【００４０】
コネクタ１０７は、外部機器との入出力を行うための連絡口である。
【００４１】
マイクロコンピュータ１１０は、ＣＰＵ、制御および演算用プログラム・周囲径や大小率を演算するための演算式・演算式に代入するための定数・目標体型選択テーブル・体型判定評価テーブル等を記憶するＲＯＭ、演算結果・外部より読み込んだプログラム・個人情報や目標体型等の入力データ等を一時的に記憶するＲＡＭ、タイマー、ＩＯポート等を備え、個人情報や目標体型の入力、生体インピーダンスの測定、周囲径等の演算、体型（肢バランス、胴体）の判定や体型の評価（アドバイス選定）等に関する制御等の処理を行う。なお、目標体型選択テーブルは、個人情報と目標体型の身体部位の太さとの関係を示す。また、体型判定評価テーブルは、実測の身体部位の太さの大小率とこの大小率の大きさに対する身体部位の適否と身体部位の適否に対するアドバイスとの関係を示す。
【００４２】
インターフェース回路１１９は、コネクタ１０７を介して外部機器と信号の入出力を行うためのものである。
【００４３】
補助記憶装置１１１は、個人情報、目標体型の入力データ等を更新可能なように記憶するためのものである。
【００４４】
フィルタ回路１１２は、マイクロコンピュータ１１０から出力された信号を生体印加用信号に成形するためのものである。
【００４５】
交流電流出力回路１１３は、フィルタ回路１１２から出力された信号を一定の実効値とするためのものである。
【００４６】
基準抵抗１１４は、交流電流出力回路１１３の出力の一端子に接続し、交流電流出力回路１１３からの定電流の変化がもたらすインピーダンスへの影響を補正するために基準とする抵抗である。
【００４７】
一方の差動増幅器１１５は、基準抵抗１１４の両端に生じる電圧を増幅するためのものであり、他方の差動増幅器１１６は、測定用電極２０５および２０６で検出した電圧を増幅するためのものである。
【００４８】
切替器１１７は、差動増幅器１１５および１１６からの出力をマイクロコンピュータ１１０の制御により選択出力するものである。
【００４９】
Ａ／Ｄ変換器１１８は、切替器１１７からの出力であるアナログ信号をデジタル信号に変換し、マクロコンピュータ１１０へ出力するものである。
【００５０】
次に、このような構成を有する実施例のインピーダンス式太さ測定装置の使用態様および機能動作について詳述する。図３は、本装置の使用状態を説明するための概略図であり、図４は、本装置による測定手順を説明するためのメインフローチャートを示す図であり、図５は、そのサブルーチンフローチャートを示す図である。
【００５１】
先ず、測定を開始する前に、本体部１００のケース１０１のオン・オフキー１０３を押すと、装置各部が作動状態となり、表示部１０２に、図７に例示するような個人情報の入力を行うための画面が表示される。ここで、図４のメインフローチャートに示す個人情報の入力ステップＳ１において、図７の表示画面上にて、ユーザは、アップキー１０４、ダウンキー１０５および設定キー１０６を用いて、年令、性別、身長および体重を設定していく。図７に示すように、カーソルの部分の数値または文字を、アップキー１０４またはダウンキー１０５を押すことにより切替え、設定キー１０６を押すことにより確定することができる。確定した個人情報の入力データは、補助記憶装置１１１に記憶される。
【００５２】
続いて、体重の数値を確定すると、ＲＯＭに記憶する図１７に示すような目標体型選択テーブルを参照し、確定した個人情報に対応する目標体型の身体部位の太さを選択し（例えば、図７に例示するような個人情報である場合には、図１７の太枠内を選択）、表示部１０２に、図８に示すような目標体型の入力を行うための画面が表示される。具体的には、モデル体型・標準体型・アスリート体型の選択欄と、各目標体型をイメージさせる（目標体型毎に身体モデルの各部位の幅が異なる）ような身体モデルと、各目標体型における身体各部の理想値（各目標体型の目標となる者たちの平均値）とを表示する。ここで、図４のメインフローチャートに示す目標体型の入力ステップＳ２において、図８の表示画面上にて、ユーザは、目標体型を入力する。すなわち、この目標体型の入力ステップＳ２では、アップキー１０４、ダウンキー１０５および設定キー１０６を用いて、選択欄の□部のチェック位置を設定する。選択欄の□部内のチェック位置を、アップキー１０４またはダウンキー１０５を押すことにより切替え、設定キー１０６を押すことにより確定する。確定した目標体型の入力データは、補助記憶装置１１１に記憶される。
【００５３】
続いて、表示部１０２に、図９に示すような、これまでに入力して確定した入力項目および測定箇所についての画面が表示される。ここでは、アップキー１０４またはダウンキー１０５を押す毎にカーソル位置が「測定開始」の文字位置から「入力画面に戻る」の文字位置に、または、「入力画面に戻る」の文字位置から「測定開始」の文字位置に切替る。入力項目に間違い等があり訂正したい場合には、アップキーまたはダウンキーを押すことによりカーソルの位置を「測定開始」の文字位置から「入力画面に戻る」の文字位置に切替え、設定キー１０６を押すと図７の個人情報の入力を行う画面に戻り、ステップＳ１からの処理ステップの繰り返しが可能となる。
【００５４】
一方、図４の身体各部のインピーダンスの測定ステップＳ３において、身体各部のインピーダンスを測定する場合には、先ず、図９の表示画面の身体モデルの測定箇所（色が濃く塗られている部分）に該当する身体部位に検出部２００の主ベルト２０１（必要な場合には延長ベルト２０２も使用する）を装着する。次いで、カーソルの位置が「測定開始」の文字位置の際に設定キー１０６を押すことによりインピーダンスの測定が開始される。右前腕のインピーダンスの測定が終了すると、図９の表示画面の身体モデルの測定箇所（色が濃く塗られている部分）を示す位置が右前腕から右上腕に変わるので、該当する身体部位に検出部２００の主ベルト２０１を装着し、設定キー１０６を押すことによりインピーダンスの測定が継続される。以下、同様に、左前腕、左上腕、右下腿、左下腿、右大腿、左大腿、胴体についてインピーダンスの測定を順次行う。なお、左・右前腕、左・右上腕および左右下腿に検出部２００の主ベルト２０１を装着する場合には、延長ベルト２０２を用いないで、主ベルト２０１だけで巻き付ける。左右大腿および胴体に検出部２００の主ベルト２０１を装着する場合には、延長ベルト２０２の内側表面と主ベルト２０１の外側表面とを係合させて連結し巻き付ける。
【００５５】
続いて、すべての身体部位についてのインピーダンスの測定が終了すると、図４のメインフローチャートに示す周囲径の演算ステップＳ４において、マイクロコンピュータ１１０が、下記の演算式（１）を用いて、身体部位毎に周囲径を演算する。先ず、測定した右前腕のインピーダンスと、予めＲＯＭに記憶している右前腕の抵抗率、測定用電極間距離および円周率とを演算式（１）に代入して右前腕の周囲径を求める。次いで、測定した右上腕のインピーダンスと、予めＲＯＭに記憶している右上腕の抵抗率、測定用電極間距離および円周率とを演算式（１）に代入して右上腕の周囲径を求める。そして、以下同様に、左前腕、左上腕、右下腿、左下腿、右大腿、左大腿、胴体の周囲径を順次求めていく。
2005081068.tif 000003
Ｃｍ：周囲径
ρ：身体部位の抵抗率
π：円周率
Ｌ：測定用電極間距離
Ｚ：身体部位のインピーダンス
なお、この演算式に代入するための身体部位の抵抗率ρは、各目標体型毎に、大勢の者から採取した、周囲径、身体部位のインピーダンス、測定用電極間距離に基づいて求められた係数（定数）である。また、測定用電極間距離は、検出部２００の主ベルト２０１に配置している位置に基づいた定数である。
【００５６】
続いて、図４のメインフローチャートに示す体型の判定・評価ステップＳ５において、マイクロコンピュータ１１０による体型の判定・評価がなされる。このステップＳ５では、図５のサブルーチンフローチャートに示す流れで処理がなされる。先ず、ステップＳ５１において、演算により求めた身体各部位の周囲径について、選定した目標体型の身体各部位の周囲径に対する大小率を下記の演算式（２）を用いて演算する。
2005081068.tif 000004
Ｐ：大小率
Ｃｓ：目標体型における身体部位の周囲径
【００５７】
次いで、ステップＳ５２およびステップＳ５３において、上記にて演算した大小率の大きさから身体部位の適否を判定する。具体的には、ステップＳ５２において、演算により求めた各肢の周囲径が選定した目標体型の各肢の周囲径について±３％の範囲内であるかを判定し、肢のバランスを判定する。なお、右前腕と右上腕とを合せて右上肢、左前腕と左上腕とを合せて左上肢、右下腿と右大腿とを合せて右下肢、左下腿と左大腿とを合せて左下肢、右上肢と左上肢と右下肢と左下肢とを合せて四肢としている。
【００５８】
また、ステップＳ５３において、演算により求めた胴体の周囲径が選定した目標体型の胴体の周囲径に対して±３％の範囲内であるかを判定する。
【００５９】
次いで、ステップＳ５４において、ＲＯＭに記憶している図６に示すような体型判定評価テーブルを参照し、ステップＳ５２およびＳ５３における肢のバランスと胴体との判定（身体部位の適否の判定）に対応するアドバイスを選定（評価）する。例えば、第一に、演算により求めた右下肢の周囲径が目標体型の右下肢の周囲径に対して±３％を超え、演算により求めた右下肢を除く他の各肢の周囲径が目標体型の右下肢を除く他の各肢の周囲径に対して±３％の範囲内である場合には、「もう少し、片足屈伸等運動で右下肢だけ引き締め、体型バランスをよくしましょう！」を各肢のバランスの判定に対応するアドバイスとして選定する。第二に、演算により求めた胴体の周囲径が目標体型の胴体の周囲径に対して＋３％を超えている場合には、「もう少し、がんばりましょう！」を胴体の判定に対応するアドバイスとして選定する。
【００６０】
ステップＳ５４におけるアドバイスの選定処理が終わると、図４に示す流れの処理に戻り、ステップＳ６において、演算した各肢の周囲径と選定したアドバイスとを表示部１０２にて図１０に示すような画面を表示する。以上のような一連の流れを経て動作が終了する。
【００６１】
なお、前述した本発明の実施例では、右前腕、右上腕、左前腕、左上腕、右下腿、左下腿、右大腿、左大腿および胴体についてのインピーダンスを測定する態様としたのであるが、例えば、右前腕と右上腕、左前腕と左上腕を分けずに右上肢（右腕）、左上肢（左腕）を測定するような態様にしても同様に実施可能である。この変形した態様の場合には、図１１に示すように、検出部２００の主ベルトは、前腕手首付近から上腕肩付近とに渡り得るベルト幅を有し且つ手首側と肩側に電極が配置されるようなものとして必要がある。また、表示部１０２に表示する各画面も、図１２から図１４に例示するようなものとする必要がある。
【００６２】
また、前述した実施例における検出部は、公知の血圧計の如き、巻き付けるタイプの主ベルトおよび延長ベルトとしたのであるが、図１５に示すような形式のものとしたり、または、図１６に示すような形式のものとすることもできる。図１５に示す検出部２００Ａは、取っ手２０２Ａを有した当接板２０１Ａの一面に通電用電極２０３Ａおよび２０４Ａと測定用電極２０５Ａおよび２０６Ａを配設してなるものである。また、図１６に示す検出部２００Ｂは、通電用電極２０３Ｂおよび２０４Ｂと測定用電極２０５Ｂおよび２０６Ｂとを分離した状態で備えるものである。
【００６３】
また、前述した実施例のインピーダンス式太さ測定装置は、太さが周囲径である場合について説明したが、半径または直径であっても同様に実施可能である。例えば、半径の場合には、ステップＳ４において、予めＲＯＭに記憶している下記の演算式（３）を用いて半径を求め、下記の演算式（４）を用いて大小率を求め、ステップＳ５でこの演算により求めた各肢の半径が目標体型の各肢の半径について±３％の範囲内であるかを判定すれば実施可能である。また、直径の場合には、ステップＳ４において、予めＲＯＭに記憶している下記の演算式（５）を用いて直径を求め、下記の演算式（６）を用いて大小率を求め、ステップＳ５でこの演算により求めた各肢の直径が目標体型の各肢の直径について±３％の範囲内であるかを判定すれば実施可能である。なお、太さが半径または直径である場合にはあ、図８、図９、図１０、図１２、図１３、図１４に表示する身体各部の理想値（目標値）や測定値が半径または直径となる。
【００６４】
2005081068.tif 000005
Ｒｍ：半径
ρ：身体部位の抵抗率
π：円周率
Ｌ：測定用電極間距離
Ｚ：身体部位のインピーダンス
2005081068.tif 000006
Ｐ：大小率
Ｒｓ：目標体型における身体部位の半径
2005081068.tif 000007
Ｄｍ：半径
ρ：身体部位の抵抗率
π：円周率
Ｌ：測定用電極間距離
Ｚ：身体部位のインピーダンス
2005081068.tif 000008
Ｐ：大小率
Ｄｓ：目標体型における身体部位の直径
【産業上の利用可能性】
【００６５】
身体部位の広範囲の幅における太さを簡単に測定でき、しかも、身体部位の測定された太さについて判定、評価も行えるので、被測定者に対し健康管理や目標体型の維持等のために有益な情報を与えることもできるので、特に、美容または健康管理産業に適用しうるものである。
【図面の簡単な説明】
【００６６】
【図１】本発明の一実施例としてのインピーダンス式太さ測定装置の全体構成を示す外観図である。
【図２】図１の装置の内部構成を説明するためのブロック図である。
【図３】図１の装置の使用状態を説明するための概略図である。
【図４】図１の装置による測定手順を説明するためのメインフローチャートを示す図である。
【図５】図１の装置による測定手順を説明するためのサブルーチンフローチャートを示す図である。
【図６】大小率、身体部位の適否およびアドバイスの関係を例示する体型判定評価テーブルを示す図である。
【図７】個人情報を入力するための表示画面を示す図である。
【図８】目標体型を選択するための表示画面を示す図である。
【図９】入力項目を確認し測定を開始させるための表示画面を示す図である。
【図１０】測定結果やアドバイスを表示する画面を示す図である。
【図１１】測定態様の変形例を説明するための概略図である。
【図１２】図１１の変形測定態様に対応する図８と同様の表示画面例を示す図である。
【図１３】図１１の変形測定態様に対応する図９と同様の表示画面例を示す図である。
【図１４】図１１の変形測定態様に対応する図１０と同様の表示画面例を示す図である。
【図１５】本発明による別の実施例としてのインピーダンス式太さ測定装置の検出部を略示する図である。
【図１６】本発明によるさらに別の実施例としてのインピーダンス式太さ測定装置の検出部を略示する図である。
【図１７】個人情報と目標体型の身体部位の太さとの関係を例示する目標体型選択テーブルを示す図である。
【符号の説明】
【００６７】
１  コード
１００  本体部
１０１  ケース
１０２  表示部
１０３  オン・オフキー
１０４  アップキー
１０５  ダウンキー
１０６  設定キー
１０７  コネクタ
１１０  マイクロコンピュータ
１１１  補助記憶装置
１１２  フィルタ回路
１１３  交流電流出力回路
１１４  基準抵抗
１１５  差動増幅器
１１６  差動増幅器
１１７  切替器
１１８  Ａ／Ｄ変換器
１１９  インターフェース回路
２００  検出部
２０１  主ベルト
２０２  延長ベルト
２０３  通電用電極
２０４  通電用電極
２０５  測定用電極
２０６  測定用電極
【図１】
2005081068.tif 000009
【図２】
2005081068.tif 000010
【図３】
2005081068.tif 000011
【図４】
2005081068.tif 000012
【図５】
2005081068.tif 000013
【図６】
2005081068.tif 000014
【図７】
2005081068.tif 000015
【図８】
2005081068.tif 000016
【図９】
2005081068.tif 000017
【図１０】
2005081068.tif 000018
【図１１】
2005081068.tif 000019
【図１２】
2005081068.tif 000020
【図１３】
2005081068.tif 000021
【図１４】
2005081068.tif 000022
【図１５】
2005081068.tif 000023
【図１６】
2005081068.tif 000024
【図１７】
2005081068.tif 000025